(57)【特許請求の範囲】
【請求項１】
ルーフィング膜の上に設置するためのエネルギー発生システムであって、該システムは、
ルーフィング膜の上に置かれる複数のペイバであって、第一の側から突出する上舌部と、対向する第二の側から突出する下舌部を含み、当該上舌部及び下舌部はファスナを含まず、当該上舌部及び下舌部が隣接関係で配置されるときに互いに直接重なるように構成される複数のペイバと、
前記ペイバそれぞれに取り付けられた少なくとも２つの細いストリップ状のペイバファスナが、前記細いストリップが互いに平行でかつベイパの外縁端部から離れて配置されおり、かつ前記細いストリップが前記上舌部及び下舌部を側面に有する外縁端部と平行に配置されており、
光を受ける上面及び底面を有する複数の光起電力デバイスであって、それぞれの前記光起電力デバイスは前記底面に配置された少なくとも２つのパネルファスナを有する光起電力デバイスとを備え、
前記パネルファスナは互いに平行でかつデバイスの外縁端部から離れて設置されており、かつ、
前記少なくとも２つの細いストリップ状のペイバファスナ及び前記少なくとも２つのパネルファスナは、いずれか一方がフック構造であれば他方がループ構造であり、互いに隣り合って配置され、前記光起電力デバイスを前記ペイバに固定したときに、前記光起電力デバイスの外縁が実質的に、前記固定されたペイバに対して整列するように配置されていることを特徴とするエネルギー発生システム。
【発明の詳細な説明】
【技術分野】
【０００１】
本発明は、２００６年１１月２１日に米国仮出願第６０／８６０，５６１号を優先権主
張するものであり、この出願は参照することにより本書に援用される。
【０００２】
本発明の一つ以上の実施の形態は光起電力デバイスを建物の屋根に固定するフック−ル
ープファスナを含むルーフィングシステムに関する。
【背景技術】
【０００３】
太陽電池と呼ばれることもある光起電力デバイスは、建物構造の屋根に付加することが
できる。太陽電池は太陽からの光エネルギーを電気エネルギーに変換し、この電気エネル
ギーはすぐに使用してもよいし、後の使用のために蓄積してもよい。多くの工業用建物は
、太陽電池の設置に望ましい大きく、高く、平坦な屋根を持っている。
【０００４】
光起電力システムの設置は、典型的にはデバイスを屋根にボルトやねじなどの機械的固
定手段で結合する必要がある。これはデバイスを固定するための有効な手段であるが、屋
根が所要の機械的固定手段又は設置中の穴あけにより永久的に損傷もしくは変更されてし
まうことになる。これらの穴は雨漏りの原因になり、また引き裂きや亀裂などの他の障害
の原因になり得る。更に、ねじやボルトなどの機械的固定手段の使用は時間を要し、精密
な計測及び固定穴の穴あけを必要とする。また、機械的固定手段は比較的に永久的であり
、損傷した屋根部分を残さずに光起電力デバイスを容易に移動もしくは除去することはで
きない。
【０００５】
太陽電池を屋根表面に取り付ける他の手段が提案されている。例えば、化学的接着剤又
はフック−ループファスナを使用することができる。フック−ループファスナは、フック
−ループファスナを屋根膜に直接貼り付けることによって、太陽電池パネルを屋根デッキ
に固定するために使用されている。この方法は屋根膜の完全性を必ずしも悪化させないが
、依然として設置に時間がかかり、屋根システムに適切に組み込むことができず、設置中
に複数の工程を必要とする。したがって、これらの手段は設置に費用がかかり、障害を受
け易い。
【０００６】
したがって、防水特性を悪化させることがなく屋根システムに組み込むことができる、
光起電力デバイスを屋根に取り付ける手段が必要とされている。
【先行技術文献】
【特許文献】
【０００７】
【特許文献１】米国特許第３，２８８，１３６号明細書
【特許文献２】米国特許第３，４０３，４２９号明細書
【発明の概要】
【０００８】
本発明の一つ以上の実施の形態は、屋根構体上に設置するためのエネルギー発生システムを提供し、該システムは、屋根構体の上に置かれる少なくとも一つのペイバと、前記ペイバに取り付けられたペイバファスナと、光を受ける上面とパネルファスナが取り付けられた底面とを有する太陽電池パネルとを備え、前記少なくとも１つのペイバファスナ及び前記少なくとも１つのパネルファスナは、いずれか一方がフック構造であれば他方がループ構造であり、互いに接触して前記光起電力デバイスを前記ペイバに固定するように配置されていることを特徴とする。
【０００９】
本発明の一つ以上の実施の形態は、屋根構体に設置するためのエネルギー発生システムを提供し、該システムは、底面と上面を有し、前記上面に取り付けられたパッドファスナを有し、前記底面が屋根膜に接着されるパッドと、光を受ける上面とパネルファスナが取り付けられた底面とを有する太陽電池パネルとを備え、前記少なくとも１つのパッドファスナ及び前記少なくとも１つのパネルファスナは、いずれか一方がフック構造であれば他方がループ構造であり、互いに接触して前記光起電力デバイスを前記パッドに固定するように配置されていることを特徴とする。
【図面の簡単な説明】
【００１０】
【図１】本発明の方法に従って作られた太陽電池パネルの一例の等角投影図である。
【図２】図１の太陽電池パネルの側面図である。
【図３】本発明の方法に従って作られた太陽電池パネルの代替例の等角投影図である。
【図４】図３の太陽電池パネルの代替例の側面図である。
【図５】本発明によるペイバの等角投影図である。
【図６】図５のペイバの側面図である。
【図７】本発明による屋根システムの等角投影図である。
【図８】太陽電池パネルが設置された屋根システムの等角投影図である。
【図９】本発明による太陽電池パネルの設置方法を例示するフローチャートである。
【図１０】本発明によるパッドの等角投影図である。
【図１１】別の屋根システムの断面図である。
【図１２】図１１の屋根システムの上面図である。
【図１３】本発明による太陽電池パネルの設置方法を例示するフローチャートである。
【発明を実施するための形態】
【００１１】
図面はいくつかの屋根システム及び対応するフック−ループ固定手段を示す。本発明の
光起電力デバイス（以後「太陽電池パネル」という）は、電気的に接続され且つモジュー
ルとしてカプセル封止された複数の太陽電池セルを含む。本発明の実施は必ずしもセルの
タイプやパネルの設計により限定されない。既知のように、太陽電池セルは半導体ウェハ
とすることができる。太陽電池パネルは、外表面（太陽にさらされる表面）側のガラス又
は透明プラスティックパネルと反対表面（屋根表面に面する）側の樹脂障壁との間に配置
された複数の半導体ウェハを含むものとし得る。この構成は、セルを雨や霰やその他の環
境危険物から保護しながら光をセルに透過することができる。太陽電池パネルは追加の電
圧を発生させるために直列に接続することもできる。簡単のために、太陽電池パネルを相
互接続する複数のワイヤ及びケーブルは添付図面には示されてない。
【００１２】
図１及び２について説明すると、変更された太陽電池パネル１０が示されている。変更
された太陽電池パネル１０は底面１２と上面１４を有する。上面１４は、光を受け、光を
光起電力セルに透過するように構成されている。底面１２は屋根表面に対面するように構
成され、フック−ループ型ファスナのパネルファスナ１６を含む。本例はほぼ正方形の太
陽電池パネルを示すが、他の形状のものを使用することもできる。本例では、パネルファ
スナ１６は太陽電池パネル１０に直接固着される。しかし、太陽電池パネル１０は支持フ
レーム又は同種のものを含むものとし、これにパネルファスナ１６を固着することができ
ることも認識されたい。
【００１３】
パネルファスナ１６は突出する複数のフックを有する支持体（例えば薄いシート）の形
態のフック型素材とすることができる。逆に、パネルファスナ１６は突出する複数のルー
プを有する支持体（例えば薄いシート）の形態のループ型素材とすることもできる。既知
のように、フック型素材がループ型素材と接触すると、取り外し可能な機械的結合が形成
される。模範的なフック−ループファスナは特許文献１及び特許文献２に見られ、これら
の文献は参照することにより本書に援用される。明瞭のために、ファスナなる語を本書を
通して使用するが、これについては、対向する相手のファスナが反対型である限り、フッ
ク型ファスナ又はループ型ファスナの何れかを使用できることを認識されたい。
【００１４】
パネルファスナ１６は太陽電池パネル１０の底面１２に接着剤などで固着することがで
きる。任意の配置を使用できる。例えば、図１及び２に示すように、パネルファスナ１６
は１対の間隔を置いて配置されたストリップの形にすることができる。他の例では、３つ
又はそれより多数の間隔を置いて配置されたストリップを用いることもできる。更に他の
例では、パネルファスナ１６は底面１２の上に格子状又は交差パターンに配置することも
できる。更に他の例では、パネルファスナ１６は底面１２のほぼ全面に設けることもでき
る。このように、太陽電池パネル１０は光を電気に光を変換するために受光する上面１４
とパネルファスナ１６を含む底面１２を有する。
【００１５】
図３及び図４を参照すると、変更された太陽電池パネル１０’の代替例が示されている
。変更された太陽電池パネル１０’は底面１２’と上面１４’を有する。上面１４’は、
光を受け、光を光起電力セルに透過するように構成されている。底面１２’は屋根表面に
対面するように構成される。パネル１０’の周辺エッジの周囲にフレーム１５が設けられ
る。フレーム１５はパネル１０’の補強及び保護のために設けることができる。フック−
ループ型ファスナの１つ以上のパネルファスナ１６’をフレーム１５の底面に固着するこ
とができる。本例では、フレーム１５の４つの脚のすべてがそれらの上にパネルファスナ
１６’を有する。他の例では、もっと少数の脚にパネルファスナ１６’を設けることがで
きる。例えば、対向する１対の脚にパネルファスナ１６’を設けることができる。本例は
パネル１０’はほぼ正方形であるが、三角形又は他の任意の形状にすることもできる。以
上の記載においてパネル１０が参照されるが、パネル１０’はパネル１０の等価な代替パ
ネルとし得ることが認識されよう。
【００１６】
図５及び図６を参照すると、本発明に従って製造された模範的なバラストペイバの全体
が２０で示されている。複数のバラストペイバを膜ルーフィングシステムとともに使用す
ることにより、主として強風状態中に膜が持ち上がるのを防ぐとともに、２つ以上の隣接
する膜シートが互いにつき合わされたとき形成される継ぎ目を完全に維持することができ
る。更に、ペイバ２０は下側の膜を刺し傷やその他の損傷から保護する。ペイバ２０はコ
ンクリートやセメントなどで構成することができる。ペイバ２０は一般に上面２４及び対
向底面２６を含む本体２２を有する薄型の矩形ブロックと記述できる。本体２２の一側か
ら突出する上舌部２８を設けることができる。本体２２の反対側から突出する下舌部３０
を設けることができる。上舌部２８と下舌部３０は、ペイバ２０を当接関係で配置すると
き互いに重なるように構成することができる。この重複又は相互連結構成は強風状態にお
けるペイバの持ち上がりの防止に役立つ。しかし、種々のペイバ構成が使用可能であるこ
とを認識されたい。例えば、ペイバ２０は任意の形状にでき、重複機能部を含んでもよく
含まなくてもよい。
【００１７】
ペイバファスナ３２をペイバ２０の上面２４の上に設けることができ、接着剤などで固
着することができる。ペイバファスナ３２は突出する複数のフックを有する薄いシートの
形態のフック型素材とすることができる。逆に、ペイバファスナ３２は突出する複数のル
ープを有する薄いシートの形態のループ型素材とすることができる。上述したように、対
向する相手のファスナが反対型であるかぎり、フック型ファスナ又はループ型ファスナの
何れかを使用することができる。従って、パネルファスナ１６がループ型ファスナである
場合には、相手のペイバファスナ３２はフック型ファスナであり、逆の場合も同じである
。
【００１８】
ペイバファスナ３２はペイバ２０の上に様々な配列で位置させることがきる。例えば、
この例で示すように、ペイバファスナ３２は間隔を置いて配置された１対の平行なトリッ
プの形にすることができる。他の例では、間隔を置いて配置された３つ以上のストリップ
を使用することができる。更に他の例では、ペイバファスナ３２は上面２４の上に格子状
又は交差パターンに配置することができる。更に他の例では、ペイバファスナ３２は上面
２４のほぼ全面に設けることができる。
【００１９】
図７を参照すると、ルーフィングシステム４０とともに使用されているペイバ２０が示
されている。ルーフィングシステム４０は膜４４で覆われた屋根構体４２を含むが、ペイ
バ２０はアスファルトベース又は他のビルトアップルーフシステムとともに使用できるこ
とを認識されたい。所定の例では、熱貫流を防止するために断熱ボード（図示せず）を屋
根構体４２と膜４４との間に設けることができる。膜４４はシートの形にすることができ
、例えばアスファルト(bitumus)材料、ＥＰＤＭ、ＴＰＯなどからなるものとすることが
できる。シートは互いにつなぎ合わせることができ、膜４４を屋根構体４２に取り付ける
他の構造的特徴を含むことができる。ペイバ２０は膜４４の上に当接(隣接)配置すること
ができ、一般に格子状に配置される。ペイバ２０は膜４４のほぼ全面に配置することがで
きる。更に、上舌部２８を下舌部３０と重ね合わせて隣接するペイバ２０を連結すること
ができる。
【００２０】
必ずしも屋根表面の全面に太陽電池パネル１０を設ける必要があるわけではないので、
ペイバファスナ３２はすべてのペイバ２０に設ける必要はないことが理解されよう。例え
ば、図７に示す例では、ペイバファスナ３２を含むペイバ２０の１対の連続行が示されて
いる。これらのペイバ２０の連続行は露出したペイバファスナ３２の連続したラインを全
体的に形成する。他の配置を使用することもできることが認識されよう。一例では、ペイ
バファスナ３２を有するペイバ２０の３つ以上の行を設けることができる。他の例では、
ペイバファスナ３２を有するペイバ２０は方形パターン又は格子パターンにすることがで
きる。更に他の例では、ペイバファスナ３２を有するペイバ２０で全屋根表面を完全に覆
うことができる。いずれにせよ、ペイバファスナ３２は屋根の上面に配置され、その後そ
の上に太陽電池パネル１０を受けることができる。
【００２１】
図８を参照すると、太陽電池パネル１０は、太陽電池パネル１０のパネルファスナ１６
をペイバ２０のペイバファスナ３２と接触させることによってペイバ２０に固着される。
その後は、太陽電池パネル１０はペイバ２０に、従って屋根システム４０に機械的に、し
かも取り外し可能に結合されたままになる。この機械的結合は太陽電池パネルを強風や他
の外力に対して保持するが、取替えや移動が必要なときに技術者が太陽電池パネル１０を
取り外すことができる程度に十分に弱いものである。明らかなように、太陽電池パネル１
０は連続する行に配置することができる。他の例では、太陽電池パネル１０は屋根表面上
に方形パターン又は格子パターンに配置することができる。更に他の例では、太陽電池パ
ネル１０は屋根表面の一部分又はほぼ全面を完全に覆うことができる。太陽電池１０は複
数のケーブル（図示せず）で相互接続することができる。これらのケーブルは分離可能な
接続にしてもよいし、しなくてもよい。これらのケーブルは接続箱又は他の受電局まで延
長し、そこで電流を調整し、電池システムに使用可能にし、蓄積することができる。
【００２２】
図９を参照すると、上述したペイバ／太陽電池パネル配列の模範的な設置方法が示され
ている。第１の工程５０において、膜４４を屋根構体４２の上に設置する。上述したよう
に、屋根構体４２と膜４４との間に断熱層を随意に設けることができる。膜４４は屋根構
体４２に機械的留め具、接着剤又は任意の他の既知の方法で固着することができる。一例
では、屋根構体４２と膜４４との間に接着剤を設けないで、膜をペイバの重みで押さえつ
けることができる。
【００２３】
第２の工程５２において、ペイバ２０を屋根表面に移動させ、その上に配置する。上述
したように、太陽電池パネル１０に使用さる区域に設置されないペイバ２０はペイバファ
スナ３２を持たないものとすることができる。ペイバ２０は、当接関係で配列する際に上
舌部２８が下舌部３０に重なるように配置することができる。更に、ペイバファスナ３２
を持つペイバは連続的に当接関係で配置してほぼ連続するペイバファスナ３２の行又はパ
ターンを形成することができる。
【００２４】
一例では、ペイバファスナ３２は、屋根に運ぶ前に、ペイバ２０上に予め設置される。
この例又は他の例では、ペイバファスナ３２はペイバ２０の製造プロセス中にペイバ２０
に取り付けることができる。製造プロセス中にペイバファスナ３２をペイバ２０に取り付
けることによって、設置中に時間を節約することができる。更に、工場の比較的清浄な環
境のために、特に接着剤を使用する場合に、一層永久的な取り付けが可能になる。
【００２５】
他の例では、ペイバファスナ３２は、ペイバの製造後に、第２の工程においてペイバ２
０に取り付けることができる。この例又は他の例では、ペイバファスナは、ペイバ２０を
屋根に運ぶ前に、現場で取り付けることができる。他の例では、ペイバファスナ３２は、
ペイバ２０を屋根表面に設置し配置した後にペイバ２０に取り付けることができる。
【００２６】
第３の工程５４において、太陽電池パネル１０をペイバ２０の上に設置する。この設置
は、太陽電池パネル１０のパネルファスナ１６をペイバ２０のペイバファスナ３２と結合
させることによって達成される。このようにして、太陽電池パネル１０はフック−ループ
ファスナの機械的結合によって屋根に取り付けられる。
【００２７】
最後に、第４の工程５６において、太陽電池パネル１０を接続箱又は同種のものに相互
接続し、これで電流を受け取り、その電流を中間使用に向けるか、後の使用のために電池
機構に送ることができる。
【００２８】
このように、太陽電池パネル１０は屋根表面に素早く容易に設置することができる。太
陽電池パネル１０をペイバ２０に固定することによって、永久結合手段を屋根膜に直接取
り付ける必要がなくなるので、膜４４は損傷されない。更に、フック−ループファスナの
取り外し可能性のために、取り替えや修理が一層簡単になる。更にまた、特にペイバ２０
を屋根表面に設置する前にペイバファスナ３２をペイバ２０に固定するとき、時間の節約
が得られる。
【００２９】
図１０−図１３を参照すると、別の太陽電池パネル取り付け装置が示されている。図１
０に示されるように、本発明に従って作られた模範的なルーフパッドの全体が６０で示さ
れている。パッド６０は一般に柔軟性のシート状にすることができ、ポリマ及び／又はゴ
ム材料からなるものとすることができる。パッド６０は上面６２及び下面６４を有する。
下面６４は比較的滑らかにすることができるが、上面６２は静止摩擦を改善するために織
り目加工することができる。接着テープ６６を、パッド６０の対向エッジ６８及び７０と
中心に一連のストリップとして、下面６４に直接接着することができる。接着テープ６６
は上面７２及び下面７４を有し、上面７２はパッドの下面６４に貼り付けられる。
【００３０】
一例では、テープ６６の貼り付けは工場で製造処理の一部として行うことができる。こ
の段階においては、パッド６０は比較的清浄であるため、別個の清浄及び／又は下塗り処
理が必要とされない。また、屋外即ち屋根の上では、パッド６０が汚されたり汚染された
りするので、パッド６０へのテープ６６の接着が妨害されるが、これとは対照的に、貼り
付けが制御された清浄な状態で行われるために、テープ６６とパッド６０との間の接着性
を最大にすることができる。剥離紙７６をテープ６６の下面７４上に設けることができる
。剥離紙７６は屋根に設置する前に表面７４が塵埃にさらされるのを防ぐ。現場（即ち屋
根の上）で設置者に要求されることは剥離紙７６を剥がし、粘着パッドを屋根の上に置き
、圧力を加えるだけであり、この加圧は単にパッドの上を歩くことにより又はローラを使
って行うことができる。
【００３１】
他の例では、テープ６６の貼り付けは現場で行うことができる。現場で行う場合には、
貼り付け前にパッド６０の清浄化及び／又は下塗りを行って、汚れや汚染がテープ６６と
パッド６０との間の接合の品質に影響を与えないようにすることができる。現場でのテー
プ６６の貼り付け後は、設置者はパッド６０を屋根の上に置き、パッドの上を歩くかトー
らを使って圧力を加えるだけでよい。
【００３２】
パッド６０には、その上面６２上に少なくとも１つのパッドファスナ７８を設け、この
ファスナは接着剤などで固着することができる。パッドファスナ７８は突出する複数のフ
ックを有する薄いシートの形態のフック型素材とすることができる。逆に、パッドファス
ナ７８は突出する複数のループを有する薄いシートの形態のループ型素材とすることがで
きる。上述したように、対向する相手のファスナが反対型であるかぎり、フック型ファス
ナ又はループ型ファスナの何れかを使用することができる。従って、パネルファスナ１６
がループ型ファスナである場合には、相手のパッドファスナ７８はフック型ファスナであ
り、逆の場合も同じである。
【００３３】
パッドファスナ７８はパッド６０の上に様々な配置で置くことができる。例えば、本例
で示すように、パッドファスナ７８は間隔を置いて配置された４つの平行ストリップの形
にすることができる。他の例では、もっと少数もしくは多数の間隔を置いて配置されたス
トリップを用いることもできる。更に他の例では、パッドファスナ７８は上面６２上に、
格子状又は交差パターンに配置することもできる。更に他の例では、パッドファスナ７８
は表面６２のほぼ全面を覆うこともできる。
【００３４】
図１１及び図１２を参照すると、ルーフィングシステム８０とともに使用されているパ
ッド６０が示されている。ルーフィングシステム８０は断熱層８４で覆われた屋根構体８
２を含むことができる。膜８６が断熱層８４の上に置かれ、固着される。膜８６は細長い
シートの形にすることができ、例えばアスファルト材料、ＥＰＤＭ、ＴＰＯなどからなる
ものとすることができる。シートは互いにつなぎ合わせることができ、膜８６を屋根構体
８２に取り付けるために必要な他の構造的特徴を含むことができる。パッド８６は膜８４
の上に任意の所望の配列又はパターンに配置することができる。図１２に示されるように
、接着剤６６が膜８６に結合してパッド６０を所定の位置に保持する。一例では、パッド
６０は隣接する連続行に配置することができる。他の例では、パッド６０は格子状配列に
配置することができる。更に他の例では、パッド６０は屋根表面のほぼ全面を覆うように
配置することができる。
【００３５】
太陽電池パネル１０は、太陽電池パネル１０のパネルファスナ１６をパッド６０のパッ
ドファスナ７８と接触させることによってパッド６０に固着される。その後は、太陽電池
パネル１０はパッド６０、従って屋根システム８０に機械的に結合されたままになる。こ
の機械的結合は太陽電池パネルを強風や他の外力に対して保持するが、取替えや移動が必
要なときに技術者が太陽電池パネル１０を取り外すことができる程度に十分に弱いもので
ある。明らかなように、太陽電池パネル１０は連続する行に配置することができる。他の
例では、太陽電池パネル１０は屋根表面上に方形パターン又は格子パターンに配置するこ
とができる。更に他の例では、太陽電池パネル１０は屋根表面の一部分又はほぼ全面を完
全に覆うことができる。太陽電池１０は複数のケーブル（図示せず）で相互接続すること
ができる。これらのケーブルは分離可能な接続にしてもよいし、しなくてもよい。これら
のケーブルは接続箱又は他の受電局まで延長し、そこで電流を調整し、電池システムに使
用可能にし、蓄積することができる。
【００３６】
図１３を参照すると、上述したパッド／太陽電池パネル配列の模範的な設置方法が示さ
れている。第１の工程９０において、予め接着剤が付与されたパッド６０を屋根に運び、
ここで剥離紙７６を除去する。次にパッド６０を膜の上に置く。その後、パッドの上を歩
くことによって又はローラなどを用いて圧力を加える。１つ以上のパッド６０を所望の太
陽電池パネル配列に従って配置する。
【００３７】
第２の工程９２において、太陽電池パネル１０をパッド６０の上に設置する。設置は、
太陽電池パネル１０のパネルファスナ１６をパッド６０のパッドファスナ７８と接触させ
ることによって達成される。このようにして、太陽電池パネル１０はフック−ループファ
スナの機械的結合によって屋根に固定される。
【００３８】
最後に、第３の工程９４において、太陽電池パネル１０を接続箱又は同種のものに相互
接続し、これで電流を受け取り、その電流を中間使用に向けるか、後の使用のために電池
機構に送ることができる。
【００３９】
上述した例は、太陽電池パネル１０を屋根表面に素早く容易に設置することができるた
め、有利である。パッド６０は屋根表面上に任意に容易に配置することができる。更に、
太陽電池パネル１０は、フック−ループファスナ構成の取り外し可能性のために容易に取
り外すことができ、また取り替えることができる。更に、太陽電池パネルはピーク昼光時
間中に熱くなり、この熱により下側の屋根膜や他の構造を損傷され得るが、太陽電池パネ
ルと屋根膜との間に設けられるパッド又はペイバは下側の屋根膜を熱損傷から保護する。
更にまた、本発明のフック−ループファスナは長期に亘り高い付着強度特性を示す。従っ
て、これらの高い剥離強度のファスナは、屋根に直接取り付けた場合、パネルの除去に大
きな力を必要とするために、パネルの除去中に屋根を損傷する可能性がある。本発明のパ
ッド又はペイバはパネルの除去又は取替え中におけるこのような損傷を防止する。最後に
、屋根膜は屋根表面上の人の歩行やその他の活動により損傷されやすい。ファスナを、永
久的な屋根システムと別の、パッド又はペイバに設けることによって、便利な結合が達成
されるのみならず、設置中及び点検中の屋根の保護が達成され、屋根の寿命が長くなる。
【００４０】
本発明の範囲及び精神から離れることなく種々の変更例及び変形例が当業者に明らかに
なり、本発明はここに説明した具体例に限定されるものではない。
【図１】
0006050791.tif 000002
【図２】
0006050791.tif 000003
【図３】
0006050791.tif 000004
【図４】
0006050791.tif 000005
【図５】
0006050791.tif 000006
【図６】
0006050791.tif 000007
【図７】
0006050791.tif 000008
【図８】
0006050791.tif 000009
【図９】
0006050791.tif 000010
【図１０】
0006050791.tif 000011
【図１１】
0006050791.tif 000012
【図１２】
0006050791.tif 000013
【図１３】
0006050791.tif 000014